(57)【特許請求の範囲】
【請求項１】
開票所毎或いは都道府県選挙管理委員会が定める選挙情報発表地域毎等に報道機関が設置する集票端末からの個票データ及び一定地域毎に報道機関が設置する合同集票端末からの開票データ及び個票データを受信し、集票端末からの個票データを合同集票端末に送信する送受信部と、
受信した個票データ及び開票データを記憶する記憶手段と、
集票端末から受信した個票データを合同集票端末に転送する規則を記述した転送管理テーブルと、
前記記憶手段に記憶された集票端末から受信した個票データを、前記転送管理テーブルを参照して転送先の合同集票端末を決定して、当該合同集票端末に個票データを転送し、
前記記憶手段に記憶された集票端末からの個票データを、市区町村単位又は／及び選挙区単位又は／及び都道府県単位又は／及び比例ブロック単位毎に個票データを集計し、
合同集票端末から個票データを受信した場合に、前記記憶手段に記憶された集票端末からの個票データと候補者毎及び／又は政党毎に比較し、得票数が多い個票データを使用して個票データを集計し、
前記記憶手段に記憶された合同集票端末からの市区町村集計値又は／及び選挙区集計値又は／及び都道府県集計値又は／及び比例ブロック集計値の夫々の開票データと集計された個票データとを候補者毎及び／又は政党毎に比較し、
得票数の多いデータを得票データとして登録データベースに出力する集計処理部とを有し、
前記記憶手段は、集票端末から受信した個票データを一定地域毎に記憶する複数のフォルダを有し、
前記集計処理部は、集票端末から個票データと共に受信した前記一定地域毎に付与されたＩＤに対応する前記記憶手段のフォルダに、受信した個票データを記憶する処理を含むことを特徴とする開票速報処理装置。
【請求項２】
開票所毎或いは都道府県選挙管理委員会が定める選挙情報発表地域毎等に報道機関が設置する集票端末からの個票データ及び一定地域毎に報道機関が設置する合同集票端末からの開票データ及び個票データを受信し、集票端末からの個票データを合同集票端末に送信する送受信部と、
受信した個票データ及び開票データを記憶する記憶手段と、
集票端末から受信した個票データを合同集票端末に転送する規則を記述した転送管理テーブルと、
前記記憶手段に記憶された集票端末から受信した個票データを、前記転送管理テーブルを参照して転送先の合同集票端末を決定して、当該合同集票端末に個票データを転送し、
前記記憶手段に記憶された集票端末からの個票データを、市区町村単位又は／及び選挙区単位又は／及び都道府県単位又は／及び比例ブロック単位毎に個票データを集計し、
合同集票端末から個票データを受信した場合に、前記記憶手段に記憶された集票端末からの個票データと候補者毎及び／又は政党毎に比較し、得票数が多い個票データを使用して個票データを集計し、
前記記憶手段に記憶された合同集票端末からの市区町村集計値又は／及び選挙区集計値又は／及び都道府県集計値又は／及び比例ブロック集計値の夫々の開票データと集計された個票データとを候補者毎及び／又は政党毎に比較し、
得票数の多いデータを得票データとして登録データベースに出力する集計処理部とを有し、
前記送受信手段は、集票端末の要求にしたがって、予め集票端末に割り当てられた個票データの入力を促す入力画面を送信し、
前記記憶手段は、集票端末から受信した個票データを一定地域毎に記憶する複数のフォルダを有し、
前記集計処理部は、送信した入力画面の種別に対応する前記記憶手段のフォルダに受信した個票データを記憶する処理を含むことを特徴とする開票速報処理装置。
【請求項３】
集票端末から受信する個票データは政党総得票データ及び党名票・候補者票データであり、合同集票端末から受信する開票情報は市区町村別政党総得票データ及び党名票・候補者票データであって、集計処理部は個票データの政党総得票データを市区町村単位に積み上げ集計して政党総得票個票集計データを算出すると共に、個票データの党名票・候補者票データを市区町村単位に積み上げ集計して党名票・候補者票個票集計データを算出し、市区町村単位の政党総得票個票集計データと市区町村別政党総得票データ及び市区町村単位の党名票・候補者票個票集計データと市区町村別党名票・候補者票データを夫々比較する処理を含むことを特徴とする請求項１又は請求項２に記載の開票速報処理装置。
【請求項４】
請求項１から３のうちいずれか１項に記載の開票速報処理装置に集票端末と合同集票端末がネットワークを介して接続されている開票速報システムであって、集票端末は個票データを入力する入力手段と、入力した個票データを送信する送信手段とを備え、合同集票端末は開票データ及び／又は個票データを入力する入力手段と、入力した開票データ及び／又は個票データを送信すると共に、開票速報処理装置からの個票データを受信する送受信手段とを備えることを特徴とする開票速報処理システム。
【請求項５】
開票速報処理装置に、開票所毎或いは都道府県選挙管理委員会が定める選挙情報発表地域毎等に報道機関が設置する集票端末と、一定地域毎に報道機関が設置する合同集票端末がネットワークを介して接続されている開票速報システムの開票速報処理装置において、送受信部が集票端末からの個票データを受信し、受信した個票データを記憶手段が記憶するステップと、送受信部が合同集票端末からの開票データ及び／又は個票データを受信し、受信した開票データ及び／又は個票データを記憶手段が記憶するステップと、集計処理部が集票端末から受信した個票データを合同集票端末に送信する規則を記述した転送管理テーブルに従って集票端末から受信した個票データを合同集票端末に転送するステップと、
集計処理部が、市区町村単位又は／及び選挙区単位又は／及び都道府県単位又は／及び比例ブロック単位毎に個票データを集計するステップと、
集計処理部が、合同集票端末から個票データを受信した場合に、集票端末からの個票データと比較し、得票数が多い個票データを使用して個票データを集計するステップと、
集計処理部が、市区町村単位又は／及び選挙区単位又は／及び都道府県単位又は／及び比例ブロック単位毎に集計した個票データを、市区町村集計値又は／及び選挙区集計値又は／及び都道府県集計値又は／及び比例ブロック集計値の夫々の開票データと比較するステップと、
集計処理部が、得票数の多いデータを得票データとして登録データベースに出力する集計処理ステップとを有し、
集票端末からの個票データを記憶するステップにおいて、集票端末から受信した個票データを一定地域毎に記憶する複数のフォルダを有する記憶手段が、集票端末から受信したＩＤ及びパスワードにより個々の集票端末を認識して、当該集票端末に対応するフォルダに受信した個票データを記憶する処理を含む
ことを特徴とする開票速報処理方法。
【請求項６】
開票速報処理装置に、開票所毎或いは都道府県選挙管理委員会が定める選挙情報発表地域毎等に報道機関が設置する集票端末と一定地域毎に報道機関が設置する合同集票端末がネットワークを介して接続されている開票速報システムの開票速報処理装置において、送受信手段は集票端末の要求にしたがって、予め集票端末に割り当てられた個票データの入力を促す入力画面を送信するステップと、送受信部が集票端末からの個票データを受信し、受信した個票データを記憶手段が記憶するステップと、送受信部が合同集票端末からの開票データ及び／又は個票データを受信し、受信した開票データ及び／又は個票データを記憶手段が記憶するステップと、集計処理部が集票端末から受信した個票データを合同集票端末に送信する規則を記述した転送管理テーブルに従って集票端末から受信した個票データを合同集票端末に転送するステップと、
集計処理部が、市区町村単位又は／及び選挙区単位又は／及び都道府県単位又は／及び比例ブロック単位毎に個票データを集計するステップと、
集計処理部が、合同集票端末から個票データを受信した場合に、集票端末からの個票データと比較し、得票数が多い個票データを使用して個票データを集計するステップと、
集計処理部が、市区町村単位又は／及び選挙区単位又は／及び都道府県単位又は／及び比例ブロック単位毎に集計した個票データを、市区町村集計値又は／及び選挙区集計値又は／及び都道府県集計値又は／及び比例ブロック集計値の夫々の開票データと比較するステップと、
集計処理部が、得票数の多いデータを得票データとして登録データベースに出力する集計処理ステップとを有し、
前記記憶手段は、集票端末から受信した個票データを一定地域毎に記憶する複数のフォルダを有し、
集票端末からの個票データを記憶するステップにおいて、前記集計処理部は、送信した入力画面の種別に対応する前記記憶手段のフォルダに、受信した個票データを記憶する処理を含むことを特徴とする開票速報処理方法。
【発明の詳細な説明】
【０００１】
【発明の属する技術分野】
本発明は選挙報道に関する種類の異なる情報を収集し、相互に関連付けて蓄積し、配信して報道機関が行う選挙報道作業を効率的に支援する選挙報道支援システムに関する。詳しくは、選挙立候補予想者及び現職国会議員、閣僚等の人物経歴情報を収集、配信し、選挙の投開票の情報を多角的にリアルタイムに収集、集計し、迅速に配信し、世論調査や意識調査等の各種調査の情報をリアルタイムに収集、集計、配信し、報道機関が行う開票速報、報道リハーサル、各種データ分析等の目的が異なる用途に使用するために以上のような選挙関連情報を蓄積し、提供するする選挙報道支援システムに関する。
【０００２】
【従来の技術】
選挙報道に使用する選挙立候補予想者及び現職国会議員、閣僚等の人物経歴情報、世論調査や意識調査等の調査結果情報、投開票情報等の各種情報はその多様性から夫々別々のコンピュータ等の情報処理装置によりデータの収集、蓄積を行っており、相互に関連付けて利用することは媒体やデータフォーマット当の違いによりきわめて困難であり、過去の選挙を含む候補者経歴情報、各種調査結果情報、得票関連情報、顔写真画像情報等は個別もしくは限定された範囲でしか関連付けて利用することが出来なかった。又、これらの情報を容易に関連付けて利用する場合には個々のコンピュータにこれらの情報を重複してもたせなければならず、情報の修正や削除等のデータ管理作業も複数の装置、システムに対して行わなければならず、煩雑な作業を重複して行わなければならなかった。
【０００３】
又、候補者経歴情報の収集に於いては各取材拠点からの経歴情報入力はその情報項目の特殊性から専用の入力ソフトからネットワークを介して情報の蓄積装置と送受信を行っていたので、選挙制度の変革の際には選挙区や比例代表ブロック等の変更情報を記憶させたソフトを全取材拠点に配布し、取材拠点の入力装置にインストールさせなければならず、更には入力者が必要な経歴情報を市販の表計算ソフト等で扱えるデータ形式で取得する機能は考慮されていなかった。又、取材拠点からの情報はそのまま蓄積されていたので、経歴情報蓄積の前に受信した経歴情報を容易且つ確実にチェックして訂正等して正確な情報を蓄積することが困難であった。
【０００４】
又、選挙当日に投開票所に設置した端末から入力、送信された投開票の情報は一箇所に集約された後に集計され、複数の報道拠点には集計データとしてネットワークを介して二次的に配信されていたので、開票所に設置した端末に投開票情報が入力されてから各地の報道拠点で投開票の情報を取得するまでに時間がかかっていた。又、報道拠点以外の選挙区、比例代表ブロック等の地域の個票データを取得することができなかった。更に、刻々と変化する投開票情報の最新値を効率よく集計し、配信することは困難であった。又、各地の選挙管理委員会が電子データ形式で発表する正確な投開票情報を収集する手段は考慮されていなかった。
【０００５】
又、世論調査や意識調査の結果情報は調査拠点単位で集計され、調査終了後に一箇所で集計されていたので、集計途中の調査情報を取得することが出来ず、集計時でのミスは集計データ報告後でしか判明しなかった。又、調査地点抽出、調査員管理、実査データ収集・処理は夫々別の処理装置で行っていたため作業効率が悪く、運用コストも余計に必要としていた。
【０００６】
又、全国の報道機関とともに投開票リハーサルを行う上で、公示日に届け出た候補者や政党に基づく整合性のあるテストデータを、時系列的に全国の選挙区もしくは都道府県等のレベルで生成し、出力することはきわめて困難であり、機械的に生成した画一的な得票数でしかリハーサルに使用できなかった。
【０００７】
【発明が解決しようとする課題】
そこで、本発明は選挙立候補予想者及び現職国会議員、閣僚等の人物経歴情報、世論調査や意識調査等の調査結果情報、投開票情報等の各種情報を一元管理して、各種情報の関連付けを容易にし、これらの情報の検索を効率的に行えると共にデータ管理作業を容易に行える選挙データの蓄積装置を提供することを目的とする。
【０００８】
又、携帯電話等のモバイルやパーソナルコンピュータ等の汎用情報処理装置によっても経歴情報を入力、送信可能で選挙制度変更の際にも各地の取材拠点における情報処理装置の特殊なソフト的メンテナンスが不要で、経歴情報蓄積の前に受信した経歴情報を容易且つ確実にチェックして訂正等して正確な情報を蓄積可能且つ、蓄積した情報をユーザーが容易に利用可能なテキスト形式で出力可能なデータ蓄積装置を提供することを目的とする。
【０００９】
又、投開票の情報を迅速に収集、配信可能であり、しかも又、刻々と変化する投開票情報の最新値を効率よく集計し、配信することが可能であって、更には各地の選挙管理委員会が電子データ形式で発表する正確な投開票情報を収集可能な開票速報処理装置を提供することを目的とする。
【００１０】
又、世論調査や意識調査の結果情報をリアルタイムに集計し、集計途中の調査情報を取得可能であって、正確な情報を迅速に入手可能であって、調査作業効率を高めると共に運用コストを抑制する調査データ集計装置を提供することを目的とする。
【００１１】
又、選挙立候補予想者及び現職国会議員、閣僚等の人物経歴情報、世論調査や意識調査等の調査結果情報、投開票情報等の各種情報を容易且つ迅速に収集し、一元管理して、各種情報の関連付けを容易にし、これらの情報の検索を効率的に行えると共にデータ管理作業を容易に行え、これらの情報の配信を迅速に行える選挙報道支援システムを提供することを目的とする。
【００１２】
【課題を解決するための手段】
上記課題を解決する第一の手段はデータを送受信する送受信部と、受信データを記憶する受信データベースと、校閲用のデータを記憶する校閲用データベースと、受信データを校閲用データベースに記憶するか登録処理部へ出力するかを判断する校閲処理部と、校閲処理部から出力された登録用のデータを登録データベースに出力すると共に、登録完了情報を生成してデータ送信元に送信する登録処理部とを有することを特徴とするデータ蓄積装置である。
【００１３】
第二の手段は上記第一の手段に於いてデータ対象特定情報とデータ入力項目と入力項目毎の情報公開レベルを記述した原票ファイルを格納した原票データベースを備え、送受信部は入力端末にデータ対象特定情報及びデータ入力項目の情報を送信し、入力端末からのデータ対象特定情報及びデータを受信し、登録処理部は校閲処理部から出力された登録用のデータに、原票ファイルを参照し、各データ項目毎に情報公開レベルを付加して登録データベースに出力することを特徴とするデータ蓄積装置である。
【００１４】
第三の手段は上記第二の手段に於いて入力端末へのデータ対象特定情報及びデータ入力項目の情報の送信は入力端末の要求に従って情報入力欄を有するＷｅｂ入力画面又は入力項目をテキスト形式で記述したメール入力フォーム取得画面の送信により行うことを特徴とする請求項２に記載のデータ蓄積装置である。
【００１５】
第四の手段はデータ対象特定情報とデータ入力項目と入力項目毎の情報公開レベルを記述した原票ファイルを格納した原票データベースと、データを送受信する送受信部と、受信データを記憶する受信データベースと、校閲用のデータを記憶する校閲用データベースと、受信データを校閲用データベースに記憶するか登録処理部へ出力するかを判断する校閲処理部と、校閲処理部から出力された登録用のデータに、原票ファイルを参照し、各データ項目毎に情報公開レベルを付加して登録データベースに出力すると共に、登録完了情報を生成してデータ送信元に送信する登録処理部とを有するデータ蓄積装置と、該データ蓄積装置とネットワークを介して接続され、データを入力する入力部と、データを送受信するデータ送受信部を有する入力端末から構成されることを特徴とするデータ蓄積システムである。
【００１６】
第五の手段はデータを受信するステップと、受信したデータを受信データベースに格納するステップと、受信データベースに格納された受信データを校閲用データベースに記憶するか登録処理部へ出力するかを判断する校閲処理ステップと、校閲処理ステップでの判断に従い受信データを校閲用データベース又は登録処理部に出力するステップと校閲用データベースが受信データを格納するステップ又は校閲処理部から出力された登録用のデータに、原票ファイルを参照し、各データ項目毎に情報公開レベルを付加して登録データベースに出力するステップと、登録完了情報を生成してデータ送信元に送信するステップを有することを特徴とするデータ蓄積方法である。
【００１７】
第六の手段は上記第五の手段に於いて入力端末からの入力要求に応じて入力方法の選択を促すメニュー画面を送信するステップと、入力端末からの選択に応じて情報入力欄を有するＷｅｂ入力画面或又は入力項目をテキスト形式で記述したメール入力フォーム取得画面を送信するステップと、Ｗｅｂ入力画面に入力された情報を受信するステップ又は入力項目及び入力情報が記述された電子メールを受信するステップを含むことを特徴とするデータ蓄積方法である。
【００１８】
第七の手段は集票端末からの個票データ及び合同集票端末からの開票情報又は／及び個票データを受信し、個票データを合同集票端末に送信する送受信部と、受信した個票データ及び開票情報を記憶する記憶手段と、集票端末から受信した個票データを合同集票端末に送信する規則を記述した転送管理テーブルと、集票端末からのデータと合同集票端末からのデータであって集票端末からのデータと同一単位のデータと比較して大きい数値のデータを抽出して登録データベースに出力する集計処理部とを有することを特徴とする開票速報処理装置である。
【００１９】
第八の手段は上記第七手段に於いて集計処理部は市区町村単位又は／及び選挙区単位又は／及び都道府県単位又は／及び比例ブロック単位毎に個票データを集計し、市区町村集計値又は／及び選挙区集計値又は／及び都道府県集計値又は／及び比例ブロック集計値の夫々の開票情報と比較する処理を含むことを特徴とする開票速報処理装置である。
【００２０】
第九の手段は上記第七又は第八の手段に於いて集票端末から受信する個票データは政党総得票データ及び党名票・候補者票データであり、合同集票端末から受信する開票情報は市区町村別政党総得票データ及び党名票・候補者票データであって、集計処理部は個票データの政党総得票データを市区町村単位に積み上げ集計して政党総得票個票集計データを算出すると共に、個票データの党名票・候補者票データを市区町村単位に積み上げ集計して党名票・候補者票個票集計データを算出し、市区町村単位の政党総得票個票集計データと市区町村別政党総得票データ及び市区町村単位の党名票・候補者票個票集計データと市区町村別党名票・候補者票データを夫々比較する処理を含むことを特徴とする開票速報処理装置である。
【００２１】
第十の手段は上記第七乃至第九の手段に於いて記憶手段は集票端末から受信した個票データを一定地域毎に記憶する複数のフォルダを有し、集票端末から受信したＩＤ及びパスワードにより個々の集票端末を認識して、当該集票端末に対応するフォルダに受信した個票データを記憶する処理を含むことを特徴とする開票速報処理装置である。
【００２２】
第十一の手段は上記第七乃至第十の手段に於いて送受信手段は集票端末の要求にしたがって、予め集票端末に割り当てられた個票データの入力を促す入力画面を送信し、記憶手段は集票端末から受信した個票データを一定地域毎に記憶する複数のフォルダを有し、送信した入力画面の種別に対応するフォルダに受信した個票データを記憶する処理を含むことを特徴とする開票速報処理装置である。
【００２３】
第十二の手段は集票端末と合同集票端末が開票速報処理装置にネットワークを介して接続されている開票速報システムであって、集票端末は個票データを入力する入力手段と、入力した個票データを送信する送信手段とを備え、合同集票端末は開票情報及び／又は個票データを入力する入力手段と、入力した開票情報及び／又は個票データを送信すると共に、個票データを受信する送受信手段とを備え、開票速報処理装置は集票端末からの個票データ及び合同集票端末からの開票情報及び／又は個票データを受信し、集票端末から受信した個票データを合同集票端末に送信する送受信部と、受信した個票データ及び開票情報を記憶する記憶手段と、集票端末から受信した個票データを合同集票端末に送信する規則を記述した転送管理テーブルと、集票端末からのデータと合同集票端末からのデータであって集票端末からのデータと同一単位のデータと比較して大きい数値のデータを登録データベースに出力する集計処理部とを備えることを特徴とする開票速報処理システムである。
【００２４】
第十三の手段は集票端末からの個票データを受信し、記憶するステップと、合同集票端末からの開票情報及び／又は個票データを受信し、記憶するステップと、集票端末から受信した個票データを合同集票端末に送信する規則を記述した転送管理テーブルに従って集票端末から受信した個票データを合同集票端末に転送するステップと、集票端末からのデータと合同集票端末からのデータであって集票端末からのデータと同一単位のデータと比較して大きい数値のデータを抽出して登録データベースに出力する集計処理ステップとを有することを特徴とする開票速報処理方法である。
【００２５】
第十四の手段は上記第十三の手段に於いて集計処理ステップは市区町村単位又は／及び選挙区単位又は／及び都道府県単位又は／及び比例ブロック単位で個票データを集計し、市区町村集計値又は／及び選挙区集計値又は／及び都道府県集計値又は／及び比例ブロック集計値の夫々の開票情報と比較することを特徴とする開票速報処理方法である。
【００２６】
第十五の手段は入力端末へ調査項目情報を送信すると共に、入力端末からの調査データを受信し、調査データをデータ集計部に転送する送受信部と、調査項目情報を記録した調査票マスター、有権者の一覧情報を記録した投開票区マスター、調査データを集計する種類とクロス集計方法を記録した集計パターンテーブルと、集計パターンテーブル及び投開票区マスターを参照してデータ送受信部から受け取った調査データを集計すると共に重み付けを行って調査データの集計処理を行い、集計結果を登録データベースに出力するデータ集計部とを備えることを特徴とする調査データ集計装置である。
【００２７】
第十六の手段は上記第十五の手段に於いて調査地点情報を記録した調査地点テーブルを備え、送受信部は調査地点情報を入力端末に送信することを特徴とする調査データ集計装置である。
【００２８】
第十七の手段は上記第十五又は第十六の手段に於いて調査票マスターから調査項目情報及び調査結果入力欄を有するＷｅｂページを生成するＷｅｂ画面デザイン部を備え、データ送受信部が入力端末へ送信する調査項目情報は調査項目及び調査結果入力欄を有するＷｅｂページであることを特徴とする調査データ集計装置である。
【００２９】
第十八の手段は上記第十五乃至第十七の手段に於いて前記データ送受信部は更に入力端末から受信した調査データの件数を集計すると共に集計した調査データ件数を調査管理部へ転送する処理を行い、データ送受信部より調査データ件数情報を受け取り、調査地点テーブルの調査サンプル数を参照して調査進捗情報を集計する調査管理部を備えることを特徴とする調査データ集計装置である。
【００３０】
第十九の手段は上記第十五乃至第十八の手段に於いて投開票区マスターを基に無作為二段抽出法により調査地点及び調査対象者を抽出して、抽出された調査地点と調査対象者情報を記録する調査地点テーブルを作成する地点抽出部を備えることを特徴とする調査データ集計装置である。
【００３１】
第二十の手段は上記第十五乃至第十九の手段に於いてデータ集計部が行う調査データの重み付けは、投開票区マスターから有権者数を抽出し調査実数に有権者数を乗じて得た数値を調査回収数にて除して行うことを特徴とする調査データ集計装置である。
【００３２】
第二十一の手段は入力端末へ調査項目情報及び調査地点情報を送信すると共に、入力端末からの調査データを受信し、調査データをデータ集計部に転送するデータ送受信部と、調査項目情報を記録した調査票マスター、有権者の一覧情報を記録した投開票マスター、調査データを集計する種類とクロス集計方法を記録した集計パターンテーブルと、調査地点情報を記録した調査地点テーブルと、集計パターンテーブル及び投開票区マスターを参照してデータ送受信部から受け取った調査データを集計すると共に重み付けを行って調査データの集計処理を行い、集計結果を登録データベースに出力するデータ集計部とを備える調査データ集計装置と、該調査データ集計装置とネットワークを介して接続され、調査データを入力する入力手段と調査データを調査データ集計装置に送信すると共に調査データ集計装置からの調査項目情報及び調査地点情報を受信する送受信手段を有する入力端末とを有することを特徴とする調査データ集計システムである。
【００３３】
第二十二の手段は入力端末へ調査項目情報を送信するステップと、入力端末からの調査データを受信するステップと、調査データをデータ集計部に転送するステップと、有権者の一覧情報を記録した投開票マスター及び調査データを集計する種類とクロス集計方法を記録した集計パターンテーブルを参照して、データ送受信部から受け取った調査データに重み付けを行って調査データの集計処理を行う集計処理ステップと、集計結果を登録データベースに出力するステップとを備えることを特徴とする調査データ集計方法である。
【００３４】
第二十三の手段は登録データベースと、リハーサル用データベースと、登録データベースから候補者、有権者数、過去の選挙結果に基づいて入力された推定得票率を抽出し、これらに基いた得票データを生成し、リハーサル用データベースに蓄積することをリハーサル用データ生成部を備えることを特徴とする選挙リハーサル装置である。
【００３５】
第二十四の手段は選挙情報を記録した登録データベースからシミュレーションテーブルに従って得票データを抽出し、シミュレーション用データベースに蓄積するシミュレーション用データ生成部を備えることを特徴とするシミュレーション装置である。
【００３６】
第二十五の手段は情報を送受信する送受信部と、配信する電文を生成する電文生成部と、登録データベースに格納された各種データからグラフ、表及び図画を生成する作画部と、登録データベースに格納された各種データからＷｅｂ画面を生成するＷｅｂ画面生成部とを備えることを特徴とするデータ提供装置である。
【００３７】
第二十六の手段はデータに付加されている情報開示レベルを参照して、登録データベースからデータを抽出してレプリカデータベースを生成する手段を有することを特徴とするレプリカデータベース生成装置である。
【００３８】
第二十七の手段は登録データベースとデータを送受信する送受信部を備えると共に、データ蓄積装置、開票速報処理装置、調査データ集計装置又はデータ提供装置のうちの少なくても一の装置を備える選挙報道支援システムであって、データ蓄積装置は受信データを記憶する受信データベースと、校閲用のデータを記憶する校閲用データベースと、受信データを校閲用データベースに記憶するか登録処理部へ出力するかを判断する校閲処理部と、校閲処理部から出力された登録用のデータを登録データベースに出力すると共に、登録完了情報を生成してデータ送信元に送信する登録処理部とを有するデータ蓄積装置であり、開票速報処理装置は受信した個票データ及び開票情報を記憶する記憶手段と、集票端末から受信した個票データを合同集票端末に送信する規則を記述した転送管理テーブルと、集票端末からのデータと合同集票端末からのデータであって集票端末からのデータと同一単位のデータと比較して大きい数値のデータを抽出して登録データベースに出力する集計処理部とを有する開票速報処理装置であり、調査データ集計装置は調査項目情報を記録した調査票マスター、有権者の一覧情報を記録した投開票マスター、調査データを集計する種類とクロス集計方法を記録した集計パターンテーブルと、データ送受信部から受け取った調査データに重み付けを行って調査データの集計処理を行い、集計結果を登録データベースに出力するデータ集計部とを備える調査データ集計装置であり、データ提供装置は配信する電文を生成する電文生成部と、登録データベースに格納された各種データからグラフ、表等を生成する作画部と、登録データベースに格納された各種データからＷｅｂ画面を生成するＷｅｂ画面生成部とを備えたデータ提供装置であることを特徴とする選挙報道支援システムである。
【００３９】
第二十八の手段は上記代二十六の手段に於いてシミュレーション用データベースを備え、登録データベースからデータを抽出し、シミュレーション用データベースを生成するデータベース生成部と、シミュレーションテーブルに従ってデータを生成するシミュレーション部を備えるシミュレーション装置を備えたことを特徴とする選挙報道支援システムである。
【００４０】
第二十九の手段は上記代二十六乃至第二十八の手段に於いて登録データベースに格納されるデータを、逐次抽出してレプリカデータベースに蓄積してレプリカデータベースを構築するレプリカデータベース生成手段を備えたことを特徴とする選挙報道支援システムである。
【００４１】
第三十の手段は上記代二十六乃至第二十九の手段に於いてデータを入力する入力部とデータを送受信する送受信部を備えた入力端末とデータの提供を要求するデータ取得端末とを備えたことを特徴とする選挙報道支援システムである。
【００４２】
【発明の実施の形態】
ここで、個票データとは、立候補者毎或いは政党毎の都道府県選挙管理委員会が定める選挙情報発表地域単位の得票数のデータを意味し、開票データとは、立候補者毎或いは政党毎の市区町村単位或いは都道府県単位の得票数のデータを意味し、投票データとは、有権者数や有効投票者数など、投票行動に基づくデータを意味するものである。
【００４３】
図１は選挙報道支援システム１の概略構成図であり、選挙報道支援システム１は経歴名簿機能１１１、中央集票機能１１２、調査集計機能１１３、シミュレーション機能１１４、データ提供機能１１５、レプリカデータベース生成機能１１６及び登録データベース５１１を備えている。選挙報道支援システム１の一実施例としては経歴名簿機能１１１はデータ蓄積装置２１により実現され、中央集票機能１１２は開票速報処理装置３１により実現され、調査集計機能１１３は調査データ集計装置４１により実現され、シミュレーション機能１１４はシミュレーション装置により実現され、データ提供機能１１５はデータ提供装置７１により、レプリカデータベース生成機能１１６はレプリカデータベース生成装置により実現される。
【００４４】
登録データベース５１１は各種データベースを備えるデータベースサーバー等により実現可能な選挙データ蓄積装置５１に備えさせることとしてもよい。登録データベース５１１は選挙報道に必要な各種データを蓄積する記憶手段であり、各種データには例えば選挙立候補予想者及び現職国会議員、閣僚等の人物経歴情報、人物顔写真画像データ、世論調査や意識調査等の調査結果情報、投開票情報、有権者情報、過去の投票率等の選挙結果情報等がある。尚、登録データベース５１１には各種情報を時系列に蓄積することは推奨される。又、データ蓄積装置２１の送受信部２１１、開票速報処理装置３１の送受信部３１１及び調査データ集計装置４１の送受信部４１３は夫々の装置に備えてもよいが、選挙報道支援システム１に共有の一の送受信部を備えることとしてもよい。又、上記各装置に備えた運用端末２１９，３１０，４１１，７１０は夫々の装置に備えてもよいが、選挙報道支援システム１に共有の運用端末を備えることとしてもよい。
【００４５】
経歴名簿機能たるデータ蓄積装置２１、中央集票機能たる開票速報処理装置３１、調査集計機能たる調査データ集計装置４１から出力された各種情報は登録データベース５１１に登録される。尚、選挙データ蓄積装置５１或いは登録データベース５１１を備えると共に、データ蓄積装置２１、開票速報処理装置３１、調査データ集計装置４１、シミュレーション装置、リハーサル装置、データ提供装置７１のうち何れか一又は二以上の装置を備えた選挙報道支援システム１としてもよいことは勿論である。
【００４６】
更に、選挙報道支援システム１は上記構成にネットワーク５９を介して接続され、選挙報道支援システム１と各種データを送受信する各種端末の入力端末２２、集票端末３２、合同集票端末３３、入力端末４２及びデータ取得端末７２を適宜に備えることとしてもよい。
【００４７】
選挙データ蓄積装置５１は少なくても選挙種別情報、投開票区情報、政党情報を記憶したマスターデータと、候補者情報を記憶した候補データと、少なくても過去及び現在の選挙の得票数、有権者数、投票者数を記憶した投票データと、世論調査や出口調査の結果を記憶した調査資料データとを格納した登録データベース５１１を備えると共に、登録データベースに格納された情報と同等の情報を格納したレプリカデータベース５１３，５１４…を備え、更にリハーサル用データベース５１５を備えると共に、シミュレーション用データベース５１２を備えている。尚、これらレプリカデータベース５１３，５１４…、リハーサル用データベース５１５、シミュレーション用データベース５１２は適宜省略可能である。
【００４８】
図２はデータ蓄積装置２１及びデータ蓄積システム２の概略図である。データ蓄積装置２１はデータを送受信するモデム等の送受信部２１１と、原票ファイルを格納した原票データベース２１０と、受信したデータを記憶する受信データベース２１２と、受信データを校閲する為に一時保存する校閲用データベース２１３と受信データを校閲用データベースに記憶するか登録処理部へ出力するかを判断する校閲処理部２１４と、校閲用のデータを記憶する校閲用データベース２１３と、校閲済みデータを登録データベースに出力すると共に、登録完了情報を生成してデータ送信元の入力端末２２に送信する登録処理部２１５とを有している。
【００４９】
情報公開レベルとは、社内利用者および社外報道機関に開示できる情報を項目ごとに付加する数字で示し、データ提供の際に出力する、しないを振り分けるレベルを意味し、原票とは情報の対象を特定するコード例えば選挙の立候補者毎に設定したコード及び情報項目例えばある人物の経歴、資産、趣味等を規定し更には情報項目毎に情報公開レベル付加したものである。又、データ蓄積装置２１への処理の指示を入力する入力手段及び原票データベース２１０、受信データベース２１２及び校閲用データベース２１３に格納されたデータを出力する出力手段を有する運用端末２１９を備えることとしてもよい。データ蓄積システム２は以上のデータ蓄積装置２１に加えデータ蓄積装置２１とネットワーク５９を介して接続されているデータを入力する入力部と、データ蓄積装置２１とデータを送受信する送受信部を有する入力端末２２を備えている。尚、原票ファイルを格納した原票データベース２１０は必ずしも備えてなくてもよい。
【００５０】
以下、データが経歴データ即ち人物に関する経歴等の個人情報の場合について説明する。入力端末２２は人物の経歴データを入力するテンキー等の入力手段とモデム等の送信手段を有するパーソナルコンピュータや携帯電話等で実現され、入力した経歴データをデータ蓄積装置に送信する。
【００５１】
入力端末２２の情報入力、送信方法としては入力端末２２は入力要求をデータ蓄積装置２１に送信しＳ１０１、データ蓄積装置２１は該要求を受信しＳ１０２、該要求に応じて入力方法の選択を促すメニュー画面２９１を送信するＳ１０３。入力端末２２はメニュー画面２９１を受信しＳ１０４、メニュー画面２９１にてＷｅｂ入力画面ボタン２９１１或いはメール入力フォーム取得ボタン２９１２を指定して選択情報を送信するＳ１０５。データ蓄積装置２１は入力端末２２からの選択情報を受信しＳ１０６、該選択を判断しＳ１０７、該選択に応じてデータ対象特定情報である人物ＩＤとデータ入力項目毎に情報入力欄を有するＷｅｂ入力画面２９２を送信しＳ１０８、或いは入力項目をテキスト形式で記述したメール入力フォーム取得画面２９３を送信するＳ１０９。入力端末２２はＷｅｂ入力画面２９２又はメール入力フォーム取得画面２９３を受信しＳ１１０、人物経歴情報を入力するＳ１１１。
【００５２】
入力端末２２がＷｅｂ入力画面２９２を受信した場合には、情報入力欄２９２１，２９２１…に情報を入力しＳ１１１、データ蓄積装置２１に情報を送信しＳ１１２、データ蓄積装置２１はＷｅｂ入力画面２９２に入力された情報を受信するＳ１１３。或いは入力端末２２がメール入力フォーム取得画面２９３を受信した場合には、テキストボックス２９３１に記載されたテキスト形式の入力項目リスト２９３２をコピーし、電子メールの文章記載欄にペーストして該入力項目に対応した情報を入力しＳ１１１、入力項目及び入力情報が記述された電子メールをデータ蓄積装置２１に送信しＳ１１２、データー蓄積装置２１は入力項目及び入力情報が記述された電子メールを受信するＳ１１３。尚、電子メールのタイトル部にはデータの管理コードを記載することとし、受信したデータ蓄積装置２１は該管理コードにより受信したデータを判断することとすることは推奨される。
【００５３】
尚、上記Ｓ１０１からＳ１１０の処理手順は省略可能であり、かかる場合には例えば入力端末２２に於いて予め定められた情報項目をメールの文章記載欄に入力する等してデータ蓄積装置に送信することとしてもよい。
【００５４】
入力端末２２にて入力されＳ１１１、送信されたＳ１１２経歴データを受信したＳ１１３データ蓄積装置２１の送受信部２１１は受信した経歴データを受信データベース２１２に送り、受信データベース２１２にて記憶されるＳ１１４。校閲処理部２１４は受信データベース２１２に蓄積された経歴データ件数を運用端末２１９が有する出力手段に表示すること等により校閲を要求しＳ１１５、校閲用データベース２１３に記憶させるか登録処理部２１５へ送るかの端末制御装置２１９からの指示を判断するＳ１１６。
【００５５】
校閲用データベース２１３に記憶させると判断した場合には経歴データは校閲用データベース２１３に送られ、記憶されるＳ１１７。登録処理部２１５へ送ると判断された場合には登録処理部２１５へ送られ、登録処理部２１５では経歴データの項目毎に原票に予め設定されている情報公開レベル情報を付加してＳ１１８、登録データベース５１１に出力するＳ１１９。
【００５６】
そして、登録される経歴情報を添付した経歴データの登録データベース５１１への登録が完了した旨を知らせるメールを作成してＳ１２０、該メールを、当該経歴データを送信した入力端末２２へ送信するＳ１２１ことは推奨される。入力端末２２は当該メールを受信しＳ１２２、経歴データの登録を確認する。
【００５７】
図７は開票速報システム３及び開票速報装置３１の概略図である。開票速報システム３は開票速報処理装置３１と、開票速報処理装置３１とネットワーク５９を介して接続され開票所毎或いは都道府県選挙管理委員会が定める選挙情報発表地域毎等に設置する集票端末３２，３２…と都道府県毎に設置する合同集票端末３３，３３…及び選挙データベース５１１から構成されている。開票速報処理装置３１は集票端末３２，３２…からの個票データを受信し、合同集票端末３３，３３…からの開票データ及び／又は個票データ或いはその他の投票情報を受信すると共に合同集票端末３３，３３…に集票端末３２，３２…からの個票データを送信する送受信手段３１１、個票データを集計し、集計された個票データと開票データを比較する集計処理部３１２、集票端末３２から受信した個票データをどの合同集票端末３３に転送するかの規則を記述した転送管理テーブル３１３、集票端末３２，３２…から受信した個票データを人物毎に時系列に記録する記憶手段たる個票データベース３１４、合同集票端末３３から受信した開票データを人物毎に時系列に記録する記憶手段たる都道府県開票データベース３１５、投票率等の他の投票情報を格納した投票データベース５１６を有している。又、転送管理テーブル３１３の修正等のための入力手段及び出力手段を有する運用端末３１０を備えることとしてもよい。
【００５８】
集票端末３２は個票データを入力するテンキー等の入力手段と送信手段を有する携帯電話やパーソナルコンピュータ等で実現され、都道府県選挙管理委員会が定める選挙情報発表地域単位の得票数のデータ場合によっては開票所単位の立候補者毎或いは政党毎の得票数のデータである個票データを開票速報処理装置３１に逐次送信する。合同集票端末３３はモデム等の送受信手段及び開票情報及び投票情報を入力するキーボード等の入力手段、個票データ等を表示、印刷する出力手段を備えたサーバーコンピュータ等で実現され、都道府県の選挙管理委員会発表の都道府県単位の人物毎の開票データ、有権者数或いは投票者数等の投票情報を開票速報処理装置３１に逐次送信する。入力手段、個票データ等を表示、印刷する出力手段はパーソナルコンピュータ等で実現可能な運用端末３１０に備えさせてもよい。
【００５９】
図９は開票速報処理装置３１が個票データを合同集票端末３３に送信する処理の流れを示すフロー図である。開票速報処理装置３１は集票端末３２からの個票データを受信しＳ２０１、該受信した個票データを記憶してＳ２０２、転送管理テーブルを参照して転送先の合同集票端末３３を決定しＳ２０３、当該合同集票端末３３に個票データを転送するＳ２０４。当該転送処理は集票端末３２からの個票データ受信時毎に逐次行うことは推奨される。
【００６０】
詳しくは、図１０に示すように、集票端末３２からの本実施例に於いては市区町村単位のデータである個票データを受信しＳ３０１、受信した個票データを一定地域毎例えば都道府県毎に別個の受信フォルダに格納するＳ３０２。次に、転送管理テーブル３１３に書かれた受信フォルダ番号と送信フォルダ番号を読んで、受信フォルダ内の個票データを対応する送信フォルダへ転送しＳ３０３、転送済みの個票データを受信フォルダより消去しＳ３０４、送信フォルダから合同集票端末３３へ個票データを送信しＳ３０５、転送済みデータを送信フォルダより消去するＳ３０６。
【００６１】
受信した個票データを一定地域毎例えば都道府県毎に別個の受信フォルダに格納するための処理手順としては、例えば、集票端末３２が送信したＩＤ等を開票速報処理装置３１が認識し、該ＩＤに従って予め定めたれた特定地域専用の個票データ入力画面を送信して、入力画面を受信した集票端末３２がデータを入力し、或いは予め集票端末に指定されたＵＲＬへ集票端末３２がアクセスし、該ＵＲＬの入力画面を受信した集票端末３２がデータを入力し、返送して、データを受信した開票速報処理装置３１は送受信した入力画面において特定されている地域の受信フォルダに記憶することは推奨される。集票端末３２のＩＤは一定地域毎例えば都道府県毎に設定すればよい。或いは個票データと共に送信されたＩＤを認識し、該ＩＤに対応する受信フォルダに受信データを記憶することとしてもよい。
【００６２】
図１１は得票情報を選挙データベース５１１に登録する処理の流れを示すフロー図である。開票速報処理装置３１は集票端末３２からの個票データを受信しＳ４０１、合同集票端末３３からの都道府県単位の開票データを受信しＳ４０２、個票データを都道府県毎に集計しＳ４０３、該集計された都道府県毎の個票データと集票端末３３からの都道府県単位の開票データを候補者毎に比較しＳ４０４、得票数の多いデータを候補者の得票データとして登録データベース５１１に出力するＳ４０５。得票数の多いデータを出力することで、最新の得票情報を登録データベース５１１に登録することが可能となる。
【００６３】
合同集票端末３３は合同集票端末３３が受け持つ何れかの都道府県下における投開票所の個票データをも送信することとしてもよい。そして、このような場合には、図１２に示すように開票速報処理装置３１は合同集票端末３３からの個票データを受信、格納しＳ５０１、集票端末３２からの個票データを受信、格納しＳ５０２、両個票データを候補者毎に比較するＳ５０３。比較の結果、合同集票端末３３からの個票データの得票数が大きい場合には比較した投開票所の個票データとして合同集票端末３３からの個票データを使用して都道府県単位に集計しＳ５０４、集計値を登録データベース５１１に出力しＳ５０６、集票端末３２からの個票データの得票数が大きい場合には比較した投開票所の個票データとして集票端末３２からの個票データを使用して都道府県単位に集計しＳ５０５、集計値を登録データベース５１１に出力するＳ５０６。即ち、都道府県単位の集計に使用される個票データは合同集票端末３３からの個票データと集票端末３２からの個票データが混在する可能性がある。勿論何れかからの個票データのみで集計される場合もありうる。
【００６４】
又、集票端末３２から受信する個票データは政党総得票データ及び党名票・候補者票データであり、合同集票端末３３から受信する開票情報は市区町村別政党総得票データ及び党名票・候補者票データであって、集計処理部３１２は個票データの政党総得票データを市区町村単位に積み上げ集計して政党総得票個票集計データを算出すると共に、個票データの党名票・候補者票データを市区町村単位に積み上げ集計して党名票・候補者票個票集計データを算出し、市区町村単位の政党総得票個票集計データと市区町村別政党総得票データ及び市区町村単位の党名票・候補者票個票集計データと市区町村別党名票・候補者票データを夫々比較して夫々大きいデータを登録データベース５１１に出力することとしてもよい。
【００６５】
図１３は参議院選挙比例代表制の選挙における得票数のデータ構成イメージ図であり、得票数Ａは市区町村別に発表された政党得票即ち党名票に候補者票を加えたものであり、得票数Ｂは選挙管理委員会から発表された政党得票即ち党名票に候補者票を加えたものである。尚、得票数Ａと得票数Ｂは中間段階では必ずしも一致しない
【００６６】
尚、開票速報処理装置３１は合同集票端末３３からの個票データ及び集票端末３２からの個票データを選挙区単位、都道府県単位、比例ブロック単位等で集計し、登録データベース５１１には個票データ、選挙区単位の集計データ、都道府県単位の集計データ、比例ブロック単位の集計データ等を夫々別々に出力する。又、合同集票端末３３は都道府県選挙管理委員会が発表する他の選挙情報についても開票速報処理装置３１に送信し、開票速報処理装置３１は合同集票端末３３から受信したこれらの選挙情報を登録データベース５１１に出力する。
【００６７】
図１４は調査データ集計装置４１及び調査データ集計システム４の概略図である。調査データ集計システム４１は調査データ集計装置４と調査データ集計装置とネットワーク５９を介して接続されている入力端末４２から構成されている。入力端末４２はデータを入力するテンキー等の入力手段とデータを送受信する送受信手段及びデータ等を表示するディスプレイ等の表示手段を有する携帯電話４２１やパーソナルコンピュータ４２２等で実現される。
【００６８】
調査データ集計装置４１は入力端末４２へ調査結果の入力画面及び調査地点情報を送信すると共に、入力端末４２からの調査データを受信し、調査データをデータ集計部４１１及び調査管理部４１２に転送するデータ送受信部４１３と、投開票区マスター４１５をもとに調査地点を抽出して調査地点及び調査対象者情報或いは調査員情報を記録した調査地点テーブル４１６を作成する地点抽出部４１４と、データ送受信部４１３から受け取った調査データに投開票区マスター４１５に従って重み付けを行って調査データの集計処理を行い、集計結果を登録データベース５１１に出力するデータ集計部４１１と、調査票マスター４１７からＷｅｂ画面を生成するＷｅｂ画面デザイン部４１９、調査項目を記録した調査票マスター４１７、有権者の一覧情報を記録した投開票マスター４１５、調査データを集計する種類とクロス集計方法を記録した集計パターンテーブル４１８と調査地点テーブル４１６を備えている。又、上記マスター、テーブル等の保守等のための入力手段及び出力手段を有する運用端末４１１を備えることとしてもよい。尚、Ｗｅｂ画面デザイン部４１９、地点抽出部４１４、調査管理部４１２等は必ずしも備えなくてもよい。Ｗｅｂ画面デザイン部４１９を備えない場合には調査項目の情報をメール等の手段により送信する等すればよい。
【００６９】
図１９は調査データ集計装置４１の処理の流れを示すフロー図である。調査データ集計装置４１は調査地点情報及び調査票マスターに記述された調査項目情報を入力端末４２へ送信するＳ６０１。調査票マスターの送信は調査結果入力欄を有するＷｅｂ画面の送信にて行うことが望ましい。入力端末４２は調査地点情報及び調査項目情報を受信し、調査地点情報に従って該調査票マスタに記録された調査項目を調査した後に調査結果をＷｅｂ画面の入力欄に入力し、調査データ集計装置４１に送信する。調査結果のデータを受信Ｓ６０２した調査データ集計装置４１のデータ送受信部４１３は順次調査件数を調査管理部４１２へ送り、調査管理部４１２は受信した調査データ件数を集計し調査進歩情報を集計するＳ６０３。又、データ送受信部４１３は調査データをデータ集計部４１１に転送する。
【００７０】
調査データを受信したデータ集計部４１１は集計パターンテーブル４１８を参照して集計パターンテーブル４１８に記録された調査データを集計する種類とクロス集計方法に従って調査データを集計すると共に、投開票区マスター４１５を参照し、投開票区マスター４１５の有権者数比率に従ってデータに重み付けを行って調査データの集計処理を行いＳ６０４、集計結果を登録データベース５１１に出力するＳ６０５。データの重み付けとは調査によって得られた一定地域の数値を当該一定地域の有権者すべてに同じ調査をしたならば得られるであろう数値、即ちその地域の調査結果動向を導き出すためのものである。ウエイト計算は個々の情報を受信した時点で個々の情報単位に掛ける方法或いは集計値算出後の率に掛ける方法がある。
【００７１】
図２０は調査データ集計装置４１の集計処理の一実施例の流れを示すフロー図であり、図２１は集計処理時に使用する集計範囲指定テーブルのイメージ図であり、図２２は集計処理時に使用する設問クロス・マトリックスのイメージ図であり、図２３乃至図２５は図２１の集計範囲指定テーブル及び図２２の設問クロス・マトリックスを使用して生成した帳票のイメージ図である。調査データ集計装置４１は先ず設問クロスマトリックスから帳票の縦項目と横項目の対応関係を読むＳ７０１。次に合計項目の有無を判断しＳ７０２、合計項目がある場合には集計範囲指定テーブルより合計或いは小計の加算範囲を読むＳ７０３。その後、及びＳ７０２での判断により合計項目がない場合には主計結果の調査データを読み込んで集計票を編集するＳ７０４。
【００７２】
ウエイト付けの一実施例を図２６に従って説明する。図２６は一選挙区における支持政党調査結果の表である。当選挙区に於いてどの政党に投票するかとの問いに対して自民党と回答した件数即ち選挙区別支持実数は１６である。又、当選挙区の有権者数は３８８，６７４人である。更に選挙区別の調査回収数は５７０である。ここで、選挙区別政党支持ウエイト値を算出するには選挙区別支持実数に当選挙区の有権者数を乗じて得た数値を選挙区別の調査回収数にて除する。従って、図２１の表の選挙区における自民党のウエイトは（１６×３８８，６７４）÷５７０＝１０，９１０となる。即ち当該選挙区の有権者すべてに同じ調査をしたならば得られるであろう数値は１０，９１０と推測されるのである。
【００７３】
調査データ集計装置４１はこのようにして集計されて重み付けをされた調査結果情報を登録データベース５１１に出力する。
【００７４】
シミュレーション装置は登録データベース５１１とシミュレーション用データベース５１２と選挙情報を記録した登録データベース５１１からシミュレーションテーブル５５１，５５２等に従って得票データを抽出し、シミュレーション用データベース５１２に蓄積するシミュレーション用データ生成部を備えている。
【００７５】
図２７はシミュレーション機能の処理手順を示すフロー図である。シミュレーションとは過去の選挙結果を様々な条件の下で再現するものである。シミュレーション装置はネットワーク５９を介して接続されたデータ取得端末７２等からの選挙種別、再現地域、再現条件の受信によるシミュレーション処理要求を受付るＳ８０１。尚、この際に再現条件としてシミュレーションする時間帯とデータ抽出する時間間隔を運用者に設定させることとしてもよい。そして、この際に１分間隔で再現させる場合は、過去選挙の完全な再現となり、リハーサル的な運用が可能となる。そして、再現条件に従ってシミュレーションテーブル、例えば開票時刻を指標としたシミュレーションテーブル５５１或いは開票率を指標としたシミュレーションテーブル５５２等のテーブルを作成し、登録データベース５１１に格納する。尚、シミュレーションテーブルは市区町村、選挙区、都道府県毎で時刻や開票率を変えて複数設定することが可能である。
【００７６】
次に登録データベース５１１より都道府県、市区町村、選挙種別、候補者、政党等を記述した選挙マスター及びシミュレーションテーブルをダウンロードするＳ８０２。図２８はある選挙での時系列の得票結果のシミュレーション用データベース５１２での蓄積例である。シミュレーション用データベース５１２は候補者ごとの投票区毎に時系列に夫々時刻、開票率、得票数の情報が蓄積されている。
【００７７】
そして、次の再現ステップの実行要求を受付けＳ８０３、都道府県コード指定を受付けＳ８０４、選挙区及びブロックコードを受付けＳ８０５、市区町村コードの指定を受付けＳ８０６、候補者のシミュレーションを行うか、政党でのシミュレーションを行うかの要求を判断しＳ８０７、候補者のシミュレーションを行う場合には候補者の届出番号の指定を受け付けてＳ８０８、シミュレーションテーブルに設定された時刻若しくは開票率をキーにして候補者の得票数を検索するＳ８０９。一方政党のシミュレーションを行う場合には政党番号の指定を受け付けてＳ８１０、シミュレーションテーブルに設定された時刻若しくは開票率をキーにして政党の得票数を検索するＳ８１１。Ｓ８０９或いはＳ８１１の検索の後にシミュレーション用データベース５１２に得票数と時刻を格納するＳ８１２、
【００７８】
次に全データの抽出が終了したか否かを判断しＳ８１３、抽出終了でない場合にはＳ８０４の処理へ移行する。抽出終了の場合にはデータ提供機能がシミュレーション用データベース５１２からデータを画面表示するＳ８１４。最後にシミュレーションの終了の要求有無を判断しＳ８１５、終了でない場合にはＳ８０３の処理へ移行し、終了の場合には処理を終了する。
【００７９】
図３１は開票時刻を指標としたシミュレーションテーブル５５１を用いてシミュレーションを行った結果であり、図３２は開票率を指標としたシミュレーションテーブル５５２を用いてシミュレーションを行った結果である。シミュレーション結果は、選挙データ蓄積装置５１に備えたテスト用表示画面等により出力可能としている。
【００８０】
選挙リハーサル装置は登録データベース５１１と、リハーサル用データベース５１５と、登録データベース５１１から候補者、有権者数、過去の選挙に於ける得票率情報を抽出し、これらに基いた得票データを生成し、リハーサル用データベースに蓄積するリハーサル用データ生成部を備えている。図３３はリハーサル機能の処理手順を示すフロー図である。リハーサルとは過去の選挙の候補者、政党の得票率を直近の世論調査に従って修正し次回選挙の得票の流れをある程度把握し、その際の報道に備えるためのものである。リハーサル装置はネットワーク５９を介して接続されたデータ取得端末７２等からのリハーサルマスター抽出処理要求を受け付るＳ９０１。
【００８１】
次に登録データベース５１１より候補者、政党、有権者数、前回投票率等を記述した選挙マスター情報をダウンロードするＳ９０２。そして、次の再現ステップの実行要求を受付けＳ９０３、都道府県コード指定を受付けＳ９０４、選挙区及びブロックコードの指定を受付けＳ９０５、市区町村コードの指定を受付けＳ９０６、候補者を対象としたリハーサルを行うか、政党を対象としたリハーサルを行うかの要求を判断しＳ９０７、候補者のシミュレーションを行う場合には候補者の届出番号の指定を受け付けてＳ９０８、有権者数と推定投票率をもとに候補者の得票数を生成するＳ９０９。一方政党のリハーサルを行う場合には政党番号の指定を受け付けてＳ９１０、有権者数と推定投票率をもとに政党の得票数を生成するＳ９１１。Ｓ９０９或いはＳ９１１の得票数の生成の後にリハーサル用データベース５１２に得票数と時刻を格納するＳ９１２。
【００８２】
次に全国データの生成が終了したか否かを判断しＳ９１３、生成終了でない場合にはＳ９０４の処理へ移行する。生成終了の場合にはデータ提供機能がリハーサル用データベース５１２からデータを画面表示するＳ９１４。最後にリハーサルステップの終了の要求有無を判断しＳ９１５、終了でない場合にはＳ９０３の処理へ移行し、終了の場合には処理を終了する。
【００８３】
図３４はデータ提供装置７１及びデータ提供システム７の概念図である。データ蓄積装置７１は配信する電文を生成する電文生成部７１１、登録データベース５１１に格納された各種データからグラフ、表等を生成する作画部７１２、登録データベース５１１に格納された各種データからＷｅｂ画面を生成するＷｅｂ画面生成部７１３、レプリカデータベース５１３，５１４…を検索可能なデータベース検索機能を備えている。データ提供システム７はデータ提供装置７１と登録データベース５１１又は／及びレプリカデータベース５１３，５１４…及びデータ提供装置７１とインターネットや広域ＬＡＮ等のネットワーク５９を介して接続されるデータ取得端末７２から構成されている。
【００８４】
作画部７１２が登録データベース５１１のデータの更新に同期させてグラフや表等を作成することは推奨される。
【００８５】
レプリカデータベース５１３，５１４…は登録データベース５１１への外部からの直接的なアクセスによるデータ破損等を防止する等のために設けるものである。
【００８６】
又、レプリカデータベース生成装置は登録データベース５１１からデータを抽出してレプリカデータベース５１３，５１４…を生成する装置である。更にレプリカデータベース生成装置は登録データベース５１１に蓄積されたデータに付加されている情報開示レベルを参照して、データに付加された情報開示レベルの情報を判断し、レプリカデータベース５１３，５１４…に蓄積すべきデータを判断、抽出するレベル判定部７１７を備えることとしてもよい。又、複数のレプリカデータベース５１３，５１４…には情報開示レベル毎にデータを蓄積することとしてもよい。
【００８７】
又、レプリカデータベース生成装置は登録データベース５１１に格納されるデータを、逐次抽出してレプリカデータベース５１３，５１４…に蓄積してレプリカデータベースを構築することは推奨される。
【００８８】
【発明の効果】
以上のような本発明により、選挙立候補予想者及び現職国会議員、閣僚等の人物経歴情報、世論調査や意識調査等の調査結果情報、投開票情報等の各種情報を一元管理して、各種情報の関連付けを容易にし、これらの情報の検索を効率的に行えると共にデータ管理作業を容易に行えるようになった。
【００８９】
汎用情報処理装置によっても経歴情報を入力、送信可能で選挙制度変更の際にも各地の取材拠点における情報処理装置の特殊なソフト的メンテナンスが不要で、経歴情報蓄積の前に受信した経歴情報を容易且つ確実にチェックして訂正等して正確な情報を蓄積可能且つ、蓄積した情報をユーザーが容易に利用可能なテキスト形式で出力可能となった。
【００９０】
投開票の情報を迅速に収集、配信可能であり、しかも又、刻々と変化する投開票情報の最新値を効率よく集計し、配信することが可能であって、更には各地の選挙管理委員会が電子データ形式で発表する正確な投開票情報を収集可能となった。
【００９１】
又、世論調査や意識調査の結果情報をリアルタイムに集計し、集計途中の調査情報を取得可能であって、正確な情報を迅速に入手可能であって、調査作業効率を高めると共に運用コストを抑制することが可能となった。
【００９２】
又、選挙立候補予想者及び現職国会議員、閣僚等の人物経歴情報、世論調査や意識調査等の調査結果情報、投開票情報等の各種情報を容易且つ迅速に収集し、一元管理して、各種情報の関連付けを容易にし、これらの情報の検索を効率的に行えると共にデータ管理作業を容易に行え、これらの情報の配信を迅速に行えるようになった。
【００９３】
又、全国の報道機関とともに投開票リハーサルを行う上で、公示日に届け出た候補者や政党に基づく整合性のあるテストデータを、時系列的に全国の選挙区もしくは都道府県等のレベルで生成し、出力することが容易となり、様々なバリエーションのリハーサルを行うことが可能となった。
【図面の簡単な説明】
【図１】  本発明選挙報道支援システム一実施例概略構成図
【図２】  本発明データ蓄積システム一実施例概略図
【図３】  本発明データ蓄積システム一実施例処理フロー図
【図４】  本発明データ蓄積システム一実施例メニュー画面図
【図５】  本発明データ蓄積システム一実施例Ｗｅｂ入力画面図
【図６】  本発明データ蓄積システム一実施例メール入力フォーム取得画面図
【図７】  本発明開票速報システム一実施例概略図
【図８】  本発明開票速報システムの一実施例転送管理テーブル概念図
【図９】  本発明開票速報処理装置の一実施例処理の流れを示すフロー図
【図１０】本発明開票速報処理装置の一実施例転送処理の流れを示すフロー図
【図１１】本発明一実施例得票情報登録処理の流れを示すフロー図
【図１２】本発明一実施例集計処理の流れを示すフロー図
【図１３】本発明一実施例得票数のデータ構成イメージ図
【図１４】本発明一実施例調査データ集計システムの概略図
【図１５】本発明一実施例調査票マスターイメージ図
【図１６】本発明一実施例調査地点テーブルイメージ図
【図１７】本発明一実施例投票区マスターイメージ図
【図１８】本発明一実施例開票区マスターイメージ図
【図１９】本発明一実施例調査データ集計装置の処理の流れを示すフロー図
【図２０】本発明一実施例調査データ集計装置の集計処理の一実施例の流れを示すフロー図
【図２１】集計範囲指定テーブルの一実施例イメージ図
【図２２】設問クロス・マトリックスの一実施例イメージ図
【図２３】図２１の集計範囲指定テーブル及び図２２の設問クロス・マトリックスを使用して生成した帳票の一実施例イメージ図
【図２４】図２１の集計範囲指定テーブル及び図２２の設問クロス・マトリックスを使用して生成した帳票の他実施例イメージ図
【図２５】図２１の集計範囲指定テーブル及び図２２の設問クロス・マトリックスを使用して生成した帳票の他実施例イメージ図
【図２６】一選挙区における支持政党調査結果の一実施例の表
【図２７】本発明シミュレーション装置一実施例の処理手順を示すフロー図
【図２８】ある選挙での時系列の得票結果の蓄積一実施例
【図２９】開票時刻を指標とした一実施例シミュレーションテーブル
【図３０】開票率を指標とした一実施例シミュレーションテーブル
【図３１】シミュレーション結果の一実施例
【図３２】シミュレーション結果の他実施例
【図３３】本発明リハーサル装置一実施例の処理手順を示すフロー図
【図３４】本発明一実施例データ提供システムの概略図
【符号の説明】
１      選挙報道支援システム
２      データ蓄積システム
２１    データ蓄積装置
２１４  校閲処理部
２１５  登録処理部
２２    入力端末
３      開票速報処理システム
３１    開票速報処理装置
３１２  集計処理部
３２    集票端末
３３    合同集票端末
４      調査データ集計システム
４１    調査データ集計装置
４１１  データ集計部
４１９  Ｗｅｂ画面デザイン部
４２    入力端末
５１    選挙データ蓄積装置
５９    ネットワーク
５１１  登録データベース
７      データ提供システム
７１    データ提供装置
７１１  電文生成部
７１２  作画部
７１３  Ｗｅｂ画面生成部
【図１】
0004043745.tif 000002
【図２】
0004043745.tif 000003
【図３】
0004043745.tif 000004
【図４】
0004043745.tif 000005
【図５】
0004043745.tif 000006
【図６】
0004043745.tif 000007
【図７】
0004043745.tif 000008
【図８】
0004043745.tif 000009
【図９】
0004043745.tif 000010
【図１０】
0004043745.tif 000011
【図１１】
0004043745.tif 000012
【図１２】
0004043745.tif 000013
【図１３】
0004043745.tif 000014
【図１４】
0004043745.tif 000015
【図１５】
0004043745.tif 000016
【図１６】
0004043745.tif 000017
【図１７】
0004043745.tif 000018
【図１８】
0004043745.tif 000019
【図１９】
0004043745.tif 000020
【図２０】
0004043745.tif 000021
【図２１】
0004043745.tif 000022
【図２２】
0004043745.tif 000023
【図２３】
0004043745.tif 000024
【図２４】
0004043745.tif 000025
【図２５】
0004043745.tif 000026
【図２６】
0004043745.tif 000027
【図２７】
0004043745.tif 000028
【図２８】
0004043745.tif 000029
【図２９】
0004043745.tif 000030
【図３０】
0004043745.tif 000031
【図３１】
0004043745.tif 000032
【図３２】
0004043745.tif 000033
【図３３】
0004043745.tif 000034
【図３４】
0004043745.tif 000035